(57)【要約】      （修正有）【課題】読取り対象の原稿のみをセッティングする必要がなく、しかも読み取るべき画像をより早期に読み取る画像読取り装置を提供する。【解決手段】原稿台に重ねて載置された原稿を順々に搬送する画像読取り装置は、原稿群の原稿枚数を取得する枚数取得部と、原稿群のうちの一部の原稿を読取り対象として指定する操作入力を受け付ける入力処理部と、原稿枚数と指定された読取り対象の順位とに基づいて、原稿群を原稿台に載置するときの表裏の向きを決める判定部と、判定部が決めた向きで原稿群を前記原稿台に載置すべき旨のメッセージを出力する操作案内部と、メッセージが出力された後の開始指示操作に呼応して、読取り対象として指定された原稿の画像を読み取るための制御処理を実行する制御部と、を備える。【選択図】図６
2011250341.tif 000002
【特許請求の範囲】
【請求項１】
原稿台に重ねて載置された複数枚のシートを順々に読取り位置へ搬送する機構を有した画像読取り装置であって、
原稿どうしの順序が定まった一群の原稿である原稿群の原稿枚数を取得する枚数取得部と、
前記原稿群のうちの一部の原稿を読取り対象として指定する操作入力を受け付ける入力処理部と、
枚数取得部が取得した原稿枚数と前記操作入力によって指定された読取り対象の前記原稿群における順位とに基づいて、前記原稿群を前記原稿台に載置するときの表裏の向きを決める判定部と、
前記判定部が決めた向きで前記原稿群を前記原稿台に載置すべき旨のメッセージを出力する操作案内部と、
前記メッセージが出力された後の開始指示操作に呼応して、前記読取り対象の画像を読み取るための制御処理を実行する制御部と、を備える
ことを特徴とする画像読取り装置。
【請求項２】
前記判定部は、前記原稿群における先頭付近の原稿および末尾付近の原稿が読取り対象に指定され、かつ他の原稿が読取り対象に指定されていない場合に、前記原稿群を前半群と後半群とに区分して、前記前半群については先頭の原稿が最初に搬送される向きを載置の向きに決め、前記後半群については末尾の原稿が最初に搬送される向きを載置の向きに決め、
前記操作案内部は、前記判定部によって前記前半群および前記後半部について載置の向きが決められた場合に、前記原稿群を二つに分けて前記原稿台に載置すべき旨のメッセージを出力する
請求項１記載の画像読取り装置。
【請求項３】
前記操作案内部は、前記入力処理部が前記操作入力を待ち受ける状態において、前記原稿群の各原稿の画像をプレビュー表示する
請求項１または２記載の画像読取り装置。
【請求項４】
請求項１ないし３のいずれかに記載の画像読取り装置と、当該画像読取り装置によって読み取られた画像を用紙に印刷する装置とを備える
ことを特徴とする画像形成装置。
【発明の詳細な説明】
【技術分野】
【０００１】
本発明は、原稿を自動送りする機能を有した画像読取り装置および画像形成装置に関する。
【背景技術】
【０００２】
複写機、複合機、イメージスキャナ、およびファクシミリ装置など、原稿から画像を読み取る機能を有した機器に、ＡＤＦ(Auto Document Feeder)と呼ばれる自動原稿送り装置が組み付けられている。一般に、ＡＤＦは、原稿台に重ねて載置された複数枚の原稿を上または下から１枚ずつ順々に読取り位置へ搬送し、画像を読み取った原稿を回収台へ排出する。ＡＤＦは複数枚の原稿の連続的な読取りを可能にする。
【０００３】
複数枚の原稿の読取りにおいて、一部の原稿について読取りのやり直しが必要となる場合がある。例えば、原稿が傾いた状態で搬送されたり２枚が重なった状態で搬送されたりして読取り結果がユーザーの意に反する場合、およびユーザーが原稿の内容を修正または差し替えたいと思う場合がある。このような場合に、全ての原稿について読取りをやり直すことができる。しかし、そうすると、原稿の枚数に応じた時間がかかる。原稿が多数であれば、再読取りをそれの必要な原稿のみについて行うのが効率的である。
【０００４】
複数枚の原稿のうちの一部の原稿について再読取りを行うことに関して、次の先行技術がある。特許文献１に記載されたファクシミリ装置は、読み取られたページ単位の画像データを順次蓄積し、テストプリント後の確認によりユーザーが不良と判断したページのデータを消去する。そして、このファクシミリ装置は、再度の読み取り動作を行い、消去したメモリ上のページ位置に再読取りで得た当該ページのデータを挿入する。特許文献２には、原稿台に一度に載置しきれない多数の原稿の複写に適した大量原稿モードを有する複合機が記載されている。この複合機は、大量原稿モードにおいて、複数の組（特許文献２では「原稿束」と呼称されている）に分けられた大量の原稿を一組ずつ順に全て読み取った後にコピー動作を行う。その際、ユーザーは原稿束単位の再読取りの指定をすることができる。
【先行技術文献】
【特許文献】
【０００５】
【特許文献１】特開平１１−１２７３２４号公報
【特許文献２】特開２００３−２４４３６６号公報
【発明の概要】
【発明が解決しようとする課題】
【０００６】
ＡＤＦを備えた画像読取り装置のユーザーが、一群の原稿のうちの一部の原稿のみを読み取らせようとするとき、ユーザーが一群の原稿の中から読み取らせたい原稿を抜き出してＡＤＦの原稿台に載置するのは面倒な作業である。通常、この作業には、読取りの終わった原稿を戻して元の順序の一群の原稿を復元する作業を伴う。ユーザーの作業性の観点では、読取りの不要な原稿を含む一群の原稿を原稿台に載置するのが有利である。
【０００７】
本発明は、このような事情に鑑み、一群の原稿の一部のみを読み取る場合に、ユーザーが読取り対象の原稿のみをセッティングする必要がなく、しかも読み取るべき画像をより早期に読み取る画像読取り装置の提供を目的としている。
【課題を解決するための手段】
【０００８】
上記目的を達成する装置は、原稿台に重ねて載置された複数枚のシートを順々に読取り位置へ搬送する機構を有した画像読取り装置であって、順序の決まった原稿の集合である原稿群の原稿枚数を取得する枚数取得部と、前記原稿群のうちの一部の原稿を読取り対象として指定する操作入力を受け付ける入力処理部と、枚数取得部が取得した原稿枚数と前記操作入力によって指定された読取り対象の前記原稿群における順位とに基づいて、前記原稿群を前記原稿台に載置するときの表裏の向きを決める判定部と、前記判定部が決めた向きで前記原稿群を前記原稿台に載置すべき旨のメッセージを出力する操作案内部と、前記メッセージが出力された後の開始指示操作に呼応して、前記読取り対象として指定された原稿の画像を読み取るための制御処理を実行する制御部と、を備える。
【発明の効果】
【０００９】
本発明によれば、一群の原稿の一部のみを読み取る場合に、ユーザーが読取り対象の原稿のみをセッティングする必要がなく、読み取るべき画像をより早期に読み取るようにユーザーが原稿をセッティングすることのできる画像読取り装置を実現することができる。
【図面の簡単な説明】
【００１０】
【図１】画像読取り装置を含む複合機の外観を示す図である。
【図２】原稿送りの形態の一例を示す図である。
【図３】複合機のハードウェア構成を示す図である。
【図４】画像読取り装置の機能構成を示す図である。
【図５】操作画面の一例を示す図である。
【図６】画像読取り装置が使用される読取り作業の第１例の流れを示す図である。
【図７】画像読取り装置が使用される読取り作業の第２例の流れを示す図である。
【図８】画像読取り装置が実行する再読取り処理のフローチャートである。
【図９】操作画面の他の例を示す図である。
【発明を実施するための形態】
【００１１】
図１に例示される複合機１は原稿Ｄの画像を読み取る画像読取り装置としての機能を有する。多機能機器（MFP: Multifunction Peripherals）である複合機１は、コピー、イメージ入力、ファクシミリ通信、ネットワークプリンティング、メール送受信およびドキュメントの保存などの種々の用途をもつ。これら用途のうち、コピー、イメージ入力およびファクシミリ通信に画像読取り装置が関与する。
【００１２】
複合機１では、電子写真式のプリンタ２３の上方に、ＡＤＦ２１およびイメージスキャナ２２が配置されている。ＡＤＦ２１は原稿台２１１および回収台２１２を有し、原稿台２１１から回収台２１２へ原稿Ｄを搬送する。原稿Ｄは読み取るべき情報が記録されたシート状記録媒体（用紙）である。原稿台２１１に最大収容数（例えば１００枚）以内の複数の原稿Ｄが載置（セッティング）されたとき、ＡＤＦ２１は１枚ずつ順々に原稿Ｄを搬送する。図では、原稿台２１１に複数枚の原稿Ｄが重ねて載置され、既に回収台２１２に複数枚の原稿Ｄが排出された状態が描かれている。ＡＤＦ２１による搬送の途中で、原稿Ｄは読取り位置を通過する。イメージスキャナ２２は、読取り位置を通過する原稿Ｄに記録されている画像情報を光学的に読み取る。この読取りの形式は、光学系に対して原稿Ｄを移動させるシートスルー形式である。なお、イメージスキャナ２２は原稿固定式の読取りのための原稿台ガラスを有しており、その原稿台ガラスの上面を容易に露出させるために、ＡＤＦ２１は背面側を支点として開閉可能なようにイメージスキャナ２２に組み付けられている。
【００１３】
イメージスキャナ２２の前側に操作パネル２５が配置されている。操作パネル２５は、種々の操作画面を表示するタッチパネル部２５Ａとテンキーを含む種々の固定キーが配置されたキーパネル部２５Ｂとを有する。複合機１のユーザーは、操作パネル２５を用いる直接の操作、またはネットワーク４を介して接続された外部装置（例えば、パーソナルコンピュータ）からのアクセスによって所望の動作を複合機１に実行させることができる。
【００１４】
このような複合機１が画像形成装置として機能する動作の代表例はコピー動作である。ＡＤＦ２１とイメージスキャナ２２との連携による読取りの終了後または読取り途中の時点で、多段式の用紙ストッカ２４から操作入力で指定されたサイズの用紙がプリンタ２３に給紙される。プリンタ２３において、原稿Ｄから読み取られた画像が用紙にカラー指定に応じた色で印刷される。画像が印刷された用紙は排紙トレイ２３２に排出される。
【００１５】
図２にＡＤＦ２１における原稿送りの形態が示される。ＡＤＦ２１は、片面原稿だけでなく両面原稿にも適応する原稿送り機構である。すなわち、ＡＤＦ２１は片面原稿送りおよび両面原稿送りが可能に構成されている。片面原稿送りとは、原稿Ｄの片面のみをイメージスキャナ２２の読取り窓２２０に対向させる動作である。両面原稿送りとは、原稿Ｄの表裏両面を片面ずつ所定の順序で読取り窓２２０に対向させる動作である。ユーザーによる指定に従って、ＡＤＦ２１は片面原稿送りまたは両面原稿送りを行う。片面原稿送りおよび両面原稿送りのいずれであっても、原稿台２１１に重ねて載置された複数の原稿Ｄの原稿台２１１からの取り出しは、最も上に位置する一つを最初に取り出す上から下への順序で行われる。
【００１６】
比較的に複雑な両面原稿送りを先に説明する。ここで、原稿Ｄの表裏の２面を区別するため、原稿台２１１に載置された状態での上側の面を第１面とし、下側の面を第２面とする。図２では、第１面を示す印として小さな黒丸が付されている。黒丸印と対向する面が第１面である。図中の矢印[１]が示すように、原稿台２１１から取り出された原稿Ｄは、第１面が下向きになるように上下反転されて読取り窓２２０と対向する。そして、原稿Ｄは、第１面が下向きのまま一時待機路２１３へいったん送られる。矢印[２]が示すように、一時待機路２１３からスイッチバック送りされた原稿Ｄは、再び上下反転され、第２面が下向きになった状態で読取り窓２２０と対向する。そして、原稿Ｄは、第２面が下向き（第１面は上向き）のまま回収台２１２より下方の所定位置へ送られる。その後、矢印[３]が示すように、原稿Ｄは、スイッチバック送りに続いて再び上下反転され、第１面が下向きになった状態で回収台２１２へ排出される。このように両面原稿送りでは、１枚の原稿Ｄに注目すると、第１面の画像が読み取られた後に第２面の画像が読み取られる。
【００１７】
ただし、複数枚の原稿Ｄを連続的に搬送する場合において、必ずしも、先に搬送を開始したｎ（ｎは１以上の整数）番目の原稿Ｄの第２面の読取りを、後に搬送を開始した（ｎ＋１）番目の原稿Ｄの第１面の読取り以前に行う必要はない。搬送路の原稿収納能力に応じて読取りの順序を最適化することができる。原稿台２１１からの取り出し順序と回収台２１２への排出順序とが同じであればよい。原稿Ｄの順序と読取りの順序とが異なっても、読み取ったデータの配列を電子ソート技術によって原稿Ｄの順序に整合させることができる。
【００１８】
片面原稿送りにおいては、矢印[１ｂ]が示すように、原稿台２１１から取り出された原稿Ｄは、両面原稿送りと同様に第１面が下向きになるように上下反転されて読取り窓２２０と対向する。その後、原稿Ｄは、一時待機路２１３へは送られず、直ちに第１面が下向きのまま回収台２１２へ排出される。
【００１９】
注目すべき点は、片面原稿送りと両面原稿送りとで、排出における表裏の向きが統一されていることである。本例では第１面が下向きの状態で原稿Ｄが排出されるが、第１面が下向きか上向きかということよりも、向きが統一されていることが重要である。向きが統一されていることは、後述する再読取りに際して「ユーザーが片面原稿と両面原稿とを区別しなくてもよい」という作業の単純化に寄与する。
【００２０】
図３のように、複合機１は、上述の要素に加えて、制御回路２６、画像処理回路２７、外部接続インタフェース２８、およびストレージ２９を有する。制御回路２６は、制御プログラムを記憶するＲＯＭ２６１、制御プログラムを実行するＣＰＵ(central processing unit)２６２、およびプログラム実行のワークエリアとして用いられるＲＡＭ２６３を有する。画像処理回路２７はイメージスキャナ２２の出力データの補正や印刷時のビットマップ展開を含む種々の画像処理を担う。外部接続インタフェース２８は、複合機１とネットワーク４とを接続し、ＬＡＮ通信およびファクシミリ通信を可能にする。ストレージ２９はハードディスクドライブのような大容量記憶デバイスである。ストレージ２９には、複合機１の制御に係わるデータを記憶するメモリ領域とともに、各種ドキュメントのファイルを保存するメモリ領域（いわゆるボックス）が設けられる。図３に示された複合機１のハードウェア要素のうち、ＡＤＦ２１、イメージスキャナ２２、操作パネル２５、および制御回路２６が、画像読取り装置２の構成に直接に関わる。
【００２１】
画像読取り装置２が有する動作モードの一つに、原稿台２１１に載置された一群の原稿のうちの一部の原稿のみを読み取る“再読取りモード”がある。再読取りモードでは、ユーザーは読取りの対象となる原稿を指定することができる。ユーザーは指定した原稿のみを一群から抜き出す必要はなく、一群の原稿を操作パネル２５に表示されるメッセージに従って原稿台２１１に載置すればよい。画像読取り装置２が一群の原稿を順に回収台２１２へ搬送する過程で、ユーザーの指定した原稿について選択的に読取りをするからである。このような再読取りモードは、一群の原稿の全てを読み取った後に読取りの結果の一部を差し替えたいという場合だけでなく、例えば多数のページをもつ既存のペーパードキュメントの一部のページのみをデータ化したいという場合にも有用である。
【００２２】
図４は画像読取り装置２の機能構成を示す。画像読取り装置２は、再読取りモードに係わる機能要素として、枚数取得部２０１、入力処理部２０２、判定部２０３、操作案内部２０４、および制御部２０５を備える。これら機能要素は、制御回路２６のＣＰＵ２６２が読取り制御プログラムを実行することによって実現される。
【００２３】
枚数取得部２０１は、再読取りモードに係わる原稿群の原稿枚数を取得する。ここでいう原稿群とは、原稿どうしの順序が定まった原稿の集合（一群）である。原稿どうしの順序は、原稿台２１１に載置された複数の原稿の全てを対象とする通常読取りモードにおける搬送順序である。再読取りモードが指定される以前に通常読取りモードの読取りが行われている場合、通常読取りモードの読取りに際してユーザーが原稿群を原稿台２１１に載置した時点（厳密には、その後の搬送開始時点）で、原稿どうしの順序は確定している。過去に読み取られていない原稿群における原稿どうしの順序は、ユーザーが指定すべき読取り対象を選択する時点（再読取りモードが指定される以前）で、ユーザーによって想定されて潜在的に定まっている。枚数取得部２０１は、通常読取りモードにおける読取り結果をユーザーが確認するための操作画面で再読取りモードが指定されると、ＡＤＦ２１によってカウントされて制御部２０５によって管理されている原稿枚数を、制御部２０５から取得して判定部２０３に与える。過去に読み取られていない原稿群に対応する所定の操作画面で再読取りモードが指定されると、枚数取得部２０１はユーザーが数値入力した原稿枚数を入力処理部２０２から取得して判定部２０３に与える。
【００２４】
入力処理部２０２は、原稿群のうちの一部の原稿を読取り対象として指定する操作入力を受け付ける。入力処理部２０２は、操作パネル２５の操作キー群２５２を用いてユーザーが指定した読取り対象を判定部２０３に通知する。操作キー群２５２には、ディスプレイ２５１によって表示される操作画面内の操作キー（ボタン、アイコンともいう）が含まれる。本実施形態では、ＡＤＦ２１が両面原稿送り可能であるので、読取り対象の指定はページ単位である。原稿の種別が「片面」であれば、指定可能な読取り対象の最大数は原稿枚数と等しく、種別が「両面」であれば、指定可能な読取り対象の最大数は原稿枚数の２倍である。
【００２５】
判定部２０３は、枚数取得部２０１が取得した原稿枚数と入力処理部２０２から通知された読取り対象の原稿群における順位とに基づいて、搬送開始から読取り対象の読取りを終えるまでの所用時間が短くなるように、ユーザーが原稿群を原稿台２１１に載置するときの表裏の向きを決める。判定部２０３が決める表裏の向きは、個々の原稿の向きではなく、重ねて載置される複数の原稿の集合体の向きである。集合体の向きを反転すれば、必然的に集合体を構成する複数の原稿の向きは一斉に反転する。
【００２６】
操作案内部２０４は、判定部２０３が決めた向きで原稿群を原稿台２１１に載置すべき旨のメッセージをディスプレイ２５１に表示させる。また、操作案内部２０４は、入力処理部２０２がユーザーによる読取り対象の指定を待ち受ける状態において、既に読み取られている原稿群の各原稿の画像をプレビュー表示する。
【００２７】
制御部２０５は、操作案内部２０４によって上述のメッセージが表示された後のユーザーによる開始指示操作に呼応して、読取り対象として指定された原稿の画像を読み取るための制御処理を実行する。すなわち、制御部２０５は、ＡＤＦ２１に原稿種別に応じて片面原稿送りまたは両面原稿送りを実行させるとともに、イメージスキャナ２２に読取り対象のページが読取り窓２２０と対向したときに画像を読み取らせる。
【００２８】
図５は読取り対象の指定のための操作画面の一例を示す。例示の操作画面Ｑ１は、メッセージエリア１０１および操作エリア１０２を有する。メッセージエリア１０１には、読取り対象の指定をユーザーに促すメッセージＭ１が表示される。操作エリア１０２には、再読取りモードにおける読取り対象の候補となる複数のページのプレビュー画像（サムネイル）１２１が表示される。例示では、１２個のページのプレビュー画像１２１が２行６列の配置で一覧表示される。候補が１２個以上である場合、ユーザーは矢印キー１２３，１２４を押下（タッチ）して表示をスクロールさせれば、１３番目以降のページのプレビュー画像を見ることができる。表示されているプレビュー画像１２１のいずれかを押下すると、それに対応するページが指定されたことになり、指定状態を表すチェックマークがプレビュー画像１２１に付される。もう一度同じプレビュー画像１２１を押下すると、指定は解除される。新たに仮指定されたページのプレビュー画像１２１は強調表示され、その状態で詳細キー１７８を押下すると、該当ページの拡大されたプレビュー画像が表示される。ＯＫキーを押下すると、指定が確定される。
【００２９】
次に、画像読取り装置２が使用される読取り作業の流れを説明する。ユーザーが複合機１を使用して多数枚の原稿をコピーしたり、電子化したり、ファクシミリ送信したりするとき、原稿画像の読取り結果を確認した上で印刷、保存、送信といった処理を開始させることができる。ユーザーは必要に応じて再読取りを画像読取り装置２に行わせる。
【００３０】
以下において、重ねられて１つの塊と見なせる複数枚の原稿の集合を意味する用語として「束」を用いる。「束」という用語は、帯、紐その他の部材で束ねた原稿を意味するものではない。ただし、緩く束ねた状態で原稿台２１１に載置されているならば、１枚ずつ原稿を原稿台２１１から取り出すことは可能であるので、「束」という用語は束ねた原稿を除外しない。
【００３１】
図６は読取り作業の第１例の流れを示す。
【００３２】
ユーザーは読み取らせたい原稿束（重ねられた一群の原稿）ＤＧを原稿台２１１に載置する。ＡＤＦ２１は最も上のシートから順に搬送するので、このときの載置の形式はフェイスアップである。すなわち、ユーザーが想定するページ順序（通常はページ番号順）の先頭ページ側が末尾ページ側に対して上になる向きで原稿束ＤＧが載置される。
【００３３】
ユーザーが読取り開始を指示すると、ＡＤＦ２１が動き出し、原稿が１枚ずつ原稿台２１１から回収台２１２へ搬送される。搬送されている間に各原稿の読取り対象ページの画像がイメージスキャナ２２によって読み取られる。原稿の排出形式はフェイスダウンであるので、すべての原稿の搬送が終わった時点の回収台２１２の上に原稿束ＤＧが下向きで存在することになる。
【００３４】
ユーザーが再読取りの必要なページを指定すると、画像読取り装置２が原稿束ＤＧの再載置の向きを決め、再載置を案内するメッセージＭ１０を表示する。図６の例では、再読取りの必要なページが原稿束ＤＧにおける原稿枚数をおおよそ２等分する位置からみた末尾ページ側のみに対応する。この場合、先頭ページの原稿から搬送を始めるよりも末尾ページの原稿から搬送を始める方が、再読取りの必要なページをより早い時点で読み取ることができる。したがって、メッセージＭ１０はフェイスダウンを意味する「裏向き」での載置を案内する。ユーザーはメッセージＭ１０に従って原稿束ＤＧを前回のフェイスアップとは異なるフェイスダウン形式で原稿台２１１に再配置すればよい。
【００３５】
ユーザーが原稿束ＤＧを再配置した後に読取り開始を指示すると、再びＡＤＦ２１が動き出し、再読取りの対象ページを有する原稿およびその上に位置する原稿が１枚ずつ原稿台２１１から回収台２１２へ搬送される。対象ページを有する原稿より下に位置する原稿は搬送されずに原稿台２１１に残る。ただし、残留する原稿の枚数が設定値よりも少ない場合には、すべての原稿を回収台２１２へ搬送するように動作を設定することができる。対象ページの読取りが終わると、その旨を知らせるメッセージＭ１２が表示される。
【００３６】
図７は読取り作業の第２例の流れを示す。
【００３７】
ユーザーは読み取らせたい原稿束ＤＧをフェイスアップ形式で原稿台２１１に載置する。ユーザーが読取り開始を指示すると、原稿が１枚ずつ原稿台２１１から回収台２１２へ搬送される。搬送されている間に各原稿の読取り対象ページの画像が読み取られる。回収台２１２の上に原稿束ＤＧがフェイスダウン形式で排出される。
【００３８】
ユーザーが再読取りの必要なページを指定すると、画像読取り装置２が原稿束ＤＧの再載置の向きを決め、再載置を案内するメッセージＭ２０，Ｍ２２を適時に表示する。図７の例では、再読取りの必要なページとして、先頭付近の原稿のページおよび末尾付近の原稿のページが指定され、かつ他の原稿のページは読取り対象に指定されないものとする。この場合、原稿束ＤＧを先頭ページ側の前半束Ｄｇ１と末尾ページ側の後半束Ｄｇ２とに分けて適切に原稿台２１１に載置することにより、再読取りの必要なページをより早い時点で読み取ることができる。先に表示されるメッセージＭ２０は、原稿束ＤＧを二つに分けて前半束Ｄｇ１を載置する作業を案内する。このときの載置形式は通常の読取り時と同様のフェイスアップであるので、例示のメッセージＭ２０は載置の向きを指定する語句が省略されている。ユーザーはメッセージＭ２０に従って原稿束ＤＧを二つに分け、前半束Ｄｇ１をフェイスアップ形式で原稿台２１１に再配置すればよい。原稿束ＤＧを厳密に２等分する必要はまったくなく、先頭付近の読取り対象と末尾付近の読取り対象とが前半束Ｄｇ１と後半束Ｄｇ２とに分かれるならば、２分割の枚数比率は任意である。おおよそ半分ずつに分ければ支障はない。
【００３９】
ユーザーが前半束Ｄｇ１を再配置した後に再読取り開始を指示すると、再びＡＤＦ２１が動き出し、原稿が１枚ずつ原稿台２１１から回収台２１２へ搬送される。対象ページを有する原稿より下に位置する原稿を搬送せずに原稿台２１１に残してもよいが、原稿束ＤＧを二つに分ける場合にはユーザーの作業を簡素化するため、前半束Ｄｇ１の原稿がすべて回収台２１２へ搬送される。
【００４０】
前半束Ｄｇ１の排出終了後に表示されるメッセージＭ２２は、フェイスダウン形式で後半束Ｄｇ２を載置する作業を案内する。ユーザーはメッセージＭ２２どおりに後半束Ｄｇ２を原稿台２１１に再配置すればよい。
【００４１】
ユーザーが後半束Ｄｇ２を再配置した時点で前半束Ｄｇ１が回収台２１２から取り出されずに残っていると、再読取り開始が禁止され、前半束Ｄｇ１の取り出しを促す図示しない警告メッセージが表示される。フェイスダウン排出されている前半束Ｄｇ１の上にフェイスダウン載置されて搬送された後半束Ｄｇ２が排出されると回収台２１２上で原稿束ＤＧのページ順序が乱れるからである。前半束Ｄｇ１が取り出されると、再読取り開始の禁止は解除される。
【００４２】
ユーザーが再読取り開始を指示すると、再びＡＤＦ２１が動き出し、原稿が１枚ずつ原稿台２１１から回収台２１２へ搬送される。後半束Ｄｇ２のすべての原稿が回収台２１２へ搬送される。対象ページの読取りが終わると、その旨を知らせるメッセージＭ２４が表示される。
【００４３】
図８は画像読取り装置２が実行する再読取り処理のフローチャートである。
【００４４】
入力処理部２０２が読取りの対象ページの指定を受け付け（＃１１）、判定部２０３がユーザーによって指定されたページのページ配列における位置を判定する（＃１２）。
【００４５】
指定されたページがページ配列の前半のページでなければ（＃１３でＮＯ）、操作案内部２０４が原稿束ＤＧのフェイスダウン載置を案内するメッセージＭ１０を表示する。制御部２０５が再読取りのための制御を実行し（＃１６）、操作案内部２０４が読取り終了をユーザーに通知する（＃１７）。
【００４６】
対象ページとして前半のページが指定されており（＃１３でＹＥＳ）かつ後半のページが指定されていない場合（＃１４でＮＯ）、操作案内部２０４は原稿束ＤＧのフェイスアップ載置を案内するメッセージ（例えば、「原稿をセットしてください。」）を表示する。制御部２０５が再読取りのための制御を実行し（＃１６）、操作案内部２０４が読取り終了をユーザーに通知する（＃１７）。
【００４７】
対象ページとして前半のページおよび後半のページが指定されており（＃１４でＹＥＳ）かつ対象ページが先頭近くと末尾近くとに偏っている場合（＃１９でＹＥＳ）、操作案内部２０４は原稿束ＤＧのうちの前半束Ｄｇ１のフェイスアップ載置を案内するメッセージＭ２０を表示する（＃２０）。制御部２０５が前半束Ｄｇ１の再読取りのための制御を実行する（＃２１）。その後、操作案内部２０４は後半束Ｄｇ２のフェイスダウン載置を案内するメッセージＭ２２を表示し（＃２２）、制御部２０５が後半束Ｄｇ２の再読取りのための制御を実行する（＃２３）。操作案内部２０４は読取り終了をユーザーに通知する（＃１７）。
【００４８】
図９はユーザーが再読取りモードの読取りの対象を指定するための操作画面の他の例を示す。図９の操作画面Ｑ１ｂは、ページ番号の数値入力によって対象を指定する形式の画面である。ユーザーは操作パネル２５のキーパネル部２５Ｂに配置されたテンキーを用いて対象を指定することができる。
【００４９】
以上の実施形態において、原稿枚数が設定値以下の場合には再読取りの対象の指定内容にかかわらず、通常の読取りと同様の向き（上記の例示はフェイスアップ）を載置の向きに決めるようにしてもよい。
【００５０】
先頭近くまたは末尾近くと判定する基準を適宜選定することができる。例えば、先頭または末尾からの枚数が総原稿枚数の３０％以下、２０％以下または１０％以下の範囲を近い範囲とすることができる。
【００５１】
上述の実施形態では、原稿搬送の給紙／排出形態として、フェイスアップ／フェイスダウンを例示したが、これに限らない。例えば、フェイスダウン／フェイスアップまたはフェイスダウン／フェイスダウンを採用する場合には、上記実施形態における原稿台２１１に原稿を配置する向きをすべて反対の向きに読み替えればよい。フェイスアップ／フェイスアップを採用する場合には、読み替える必要はない。
【００５２】
上述の実施形態において、メッセージＭ１０，Ｍ１２，Ｍ２０，Ｍ２２，Ｍ２４を出力する形態はディスプレイによる表示に限らず、音声出力またはディスプレイによる表示と音声出力との併用であってもよい。
【００５３】
上述の実施形態において、原稿の種別が「両面」であっても、ユーザーによって指定された読取り対象のすべてが各原稿の裏面に対応する場合に、フェイスダウンセッティングをするべき旨のメッセージを出力し、両面原稿送りよりも時間的に有利な片面原稿送りを行うようにしてもよい。
【００５４】
上述の実施形態において、ユーザーが行う読取り対象の指定を、複合機１にネットワーク４を介して接続されたパーソナルコンピュータ（以下、ＰＣと略す）を用いて行うようにしてもよい。例えば、複数枚の用紙で構成されるペーパードキュメントの片面／両面種別、総ページ数および読取り対象を指定して読取りジョブを複合機１に登録するという複合機１の利用形態がある。ユーザーはペーパードキュメントを持参して複合機１の設置場所に出向き、登録してある読取りジョブを呼び出して実行させればよい。
【符号の説明】
【００５５】
１    複合機（画像形成装置）
２    画像読取り装置
２３    プリンタ（印刷する装置）
２１    ＡＤＦ（搬送する機構）
２１１    原稿台
Ｄ    原稿（シート）
ＤＧ    原稿束（原稿群）
２０１    枚数取得部
２０２    入力処理部
２０３    判定部
２０４    操作案内部
２０５    制御部
Ｄｇ１    前半束（前半群）
Ｄｇ２    後半束（後半群）
Ｍ１０，Ｍ１２，Ｍ２０，Ｍ２２，Ｍ２４    メッセージ
１２１    プレビュー画像
【図１】
2011250341.tif 000003
【図２】
2011250341.tif 000004
【図３】
2011250341.tif 000005
【図４】
2011250341.tif 000006
【図５】
2011250341.tif 000007
【図６】
2011250341.tif 000008
【図７】
2011250341.tif 000009
【図８】
2011250341.tif 000010
【図９】
2011250341.tif 000011